(57)【要約】      （修正有）【課題】携帯装置が使用者によって握られているか否かを判定する。【解決手段】携帯装置は、筐体において対向する第１の面及び第２の面の各々に設けられた第１のタッチセンサ及び第２のタッチセンサと、第１のタッチセンサ及び第２のタッチセンサにより、第１の面及び第２の面が同時に接触しているか否かを判定する判定部とを含む。筐体において対向する２面が同時に接触しているか否かを検知することによって、携帯装置が使用者によって握られているか否かを判定する。携帯装置が、更に第１の面及び第２の面以外の第３の面に設けられた第３のタッチスイッチを有するようにすれば、もう一つの面も同時に接触しているか否かを検知することによって、握られている態様を推定する。【選択図】図３
2014154954.tif 000002
【特許請求の範囲】
【請求項１】
筐体において対向する第１の面及び第２の面の各々に設けられた第１のタッチスイッチ及び第２のタッチスイッチと、
前記第１のタッチスイッチ及び前記第２のタッチスイッチにより、前記第１の面及び前記第２の面が同時に接触しているか否かを判定する判定部と
を有する携帯装置。
【請求項２】
更に、
前記第１の面及び前記第２の面以外の第３の面に設けられた第３のタッチスイッチ
を有し、
前記判定部は、更に前記第３のタッチスイッチにより、前記第１の面及び前記第２の面に加えて、前記第３の面が同時に接触しているか否かを判定する
請求項１記載の携帯装置。
【請求項３】
前記判定部は、前記第１の面、前記第２の面及び前記第３の面の接触状態に基づいて、前記携帯装置の向きを判定する
請求項２記載の携帯装置。
【請求項４】
前記第１の面及び前記第２の面が同時に接触していると判定した場合に、ロック機能を解除する第１の制御部
を有する請求項１乃至３のいずれか１つ記載の携帯装置。
【請求項５】
前記第１の制御部は、
前記第１の面及び前記第２の面が同時に接触している状態ではない場合に、前記ロック機能を起動させる
請求項４記載の携帯装置。
【請求項６】
更に、
前記第１の面及び前記第２の面が同時に接触していると判定した場合に、休止している電力供給を再開する第２の制御部
を有する請求項１乃至５のいずれか１つ記載の携帯装置。
【請求項７】
前記第２の制御部は、
前記第１の面及び前記第２の面が同時に接触している状態ではない場合に、前記電力供給を休止する
請求項６記載の携帯装置。
【請求項８】
更に、
前記第１の面及び前記第２の面が同時に接触している状態ではない場合に、転送すべき操作イベントを破棄する転送部
を有する請求項１乃至７のいずれか１つ記載の携帯装置。
【請求項９】
更に、
前記第１の面及び前記第２の面が同時に接触していると判定した場合に、音による通知を停止する通知部
を有する請求項１乃至８のいずれか１つ記載の携帯装置。
【請求項１０】
筐体において対向する第１の面及び第２の面の各々に設けられた第１のタッチスイッチ及び第２のタッチスイッチを有する携帯装置に含まれるプロセッサに、
前記第１のタッチスイッチにより、前記第１の面が接触しているか否かを判定する処理と、
前記第２のタッチスイッチにより、前記第２の面が前記第１の面と同時に接触しているか否かを判定する処理と
を実行させるためのプログラム。
【請求項１１】
筐体において対向する第１の面及び第２の面の各々に設けられた第１のタッチスイッチ及び第２のタッチスイッチを有する携帯装置により実行される判定方法であって、
前記第１のタッチスイッチにより、前記第１の面が接触しているか否かを判定する処理と、
前記第２のタッチスイッチにより、前記第２の面が前記第１の面と同時に接触しているか否かを判定する処理と
を含む判定方法。
【発明の詳細な説明】
【技術分野】
【０００１】
本技術は、装置の保持状態を判定する技術に関する。
【背景技術】
【０００２】
ある特許文献には、使用者の意図によらずキーロックが設定され、あるいは解除されることがないようにすることを目的とした携帯電話機が開示されている。この携帯電話機は、２つのタッチスイッチを備えている。２つのタッチスイッチは同じ面に設けられ、携帯電話機はタッチされる順番によってキーロック設定のオン操作とオフ操作とを区別している。つまり、使用者は、キーロック設定をオンさせるときに、所定方向のスライドタッチ操作を行い、キーロック設定をオフさせるときに、別方向のスライドタッチ操作を行う。
【０００３】
この技術は、使用者が正常に携帯電話機を保持していることを前提としているが、仮に使用者が正常に携帯電話機を保持していない状態でも、タッチスイッチが人間の体面に触れると、キーロックに係る操作と判断され、意図しない動作が行われるおそれがある。
【０００４】
また、別の特許文献には、撮像機能付き携帯端末の表示画面に被写体を表示させた状態で一部の筐体を回転させても、表示画面中の被写体の向きが変わらないように制御する技術が開示されている。撮像機能付き携帯端末は、表示画面を含む筐体とカメラを含む筐体を結ぶヒンジの角度によって表示画面の向きを判断し、画像を回転させている。
【０００５】
この技術では、表示画面を含む筐体とカメラを含む筐体との関係に基づいて表示画面の向きが判断されるので、使用者がカメラを含む筐体の方を固定して持っていない場合には、表示画面の向きが特定されない。
【先行技術文献】
【特許文献】
【０００６】
【特許文献１】特開２００８−２４４７４３号公報
【特許文献２】特開２００８−１２５０９６号公報
【発明の概要】
【発明が解決しようとする課題】
【０００７】
本技術の目的は、一側面では、携帯装置が使用者によって握られているか否かを判定することである。
【課題を解決するための手段】
【０００８】
一態様の携帯装置は、筐体において対向する第１の面及び第２の面の各々に設けられた第１のタッチセンサ及び第２のタッチセンサと、第１のタッチセンサ及び第２のタッチセンサにより、第１の面及び第２の面が同時に接触しているか否かを判定する判定部とを含む。
【発明の効果】
【０００９】
一側面においては、携帯装置が使用者によって握られているか否かを判定できる。
【図面の簡単な説明】
【００１０】
【図１】図１は、携帯電話端末の斜視図である。
【図２】図２は、携帯電話端末の斜視図である。
【図３】図３は、携帯電話端末が握られている様子を示す図である。
【図４】図４は、携帯電話端末が握られている様子を示す図である。
【図５】図５は、携帯電話端末が握られている様子を示す図である。
【図６】図６は、携帯電話端末のハードウエア構成例を示す図である。
【図７】図７は、携帯電話端末のモジュール構成例を示す図である。
【図８】図８は、全体処理フローを示す図である。
【図９】図９は、第１判定処理（Ａ）フローを示す図である。
【図１０】図１０は、第１判定処理（Ｂ）フローを示す図である。
【図１１】図１１は、実施の形態３に係る携帯電話端末の正面図である。
【図１２】図１２は、第１判定処理（Ｃ）フローを示す図である。
【図１３】図１３は、実施の形態４に係る携帯電話端末の背面図である。
【図１４】図１４は、第１判定処理（Ｄ）フローを示す図である。
【図１５】図１５は、実施の形態５に係る全体処理フローを示す図である。
【図１６】図１６は、実施の形態６に係る携帯電話端末のモジュール構成例を示す図である。
【図１７】図１７は、実施の形態６に係る全体処理フローを示す図である。
【図１８】図１８は、実施の形態７に係る全体処理フローを示す図である。
【図１９】図１９は、実施の形態８に係る携帯電話端末のモジュール構成例を示す図である。
【図２０】図２０は、実施の形態８に係る全体処理フローを示す図である。
【図２１】図２１は、実施の形態９に係る携帯電話端末のモジュール構成例を示す図である。
【図２２】図２２は、実施の形態９に係る全体処理フローを示す図である。
【図２３】図２３は、実施の形態１０に係る携帯電話端末のモジュール構成例を示す図である。
【図２４】図２４は、実施の形態１０に係る全体処理フローを示す図である。
【図２５】図２５は、第２判定処理フローを示す図である。
【発明を実施するための形態】
【００１１】
［実施の形態１］
本実施の形態に係る携帯電話端末の筐体には、複数のタッチスイッチが設けられている。
【００１２】
図１に、携帯電話端末の斜視図を示す。携帯電話端末１００は、携帯装置の例である。タッチスイッチ１０１ｂは、携帯電話端末１００の右側面に設置されている。タッチスイッチ１０１ｄは、携帯電話端末１００の底面に設置されている。近接センサ１０３は、携帯電話端末１００の正面に設けられている。近接センサ１０３は、近くに物体がある場合にその存在を検知する。この例では、近接センサ１０３は、正面の右上部に設置されているが、他の部分でもよい。表示面１０５は、携帯電話端末１００の正面に設けられている。キー１０７ａ乃至１０７ｃは、携帯電話端末１００の正面の下部に並べて配置されている。
【００１３】
図２に、携帯電話端末１００の斜視図を示す。タッチスイッチ１０１ａは、携帯電話端末１００の左側面に設置されている。タッチスイッチ１０１ｃは、携帯電話端末１００の上面に設置されている。近接センサ１０３、表示面１０５及びキー１０７ａ乃至１０７ｃについては、上述の通りである。
【００１４】
次に、携帯電話端末１００を保持する場合の種々の状態について説明する。まず、使用者が片手で縦向きに携帯電話端末１００を保持している状態について説明する。図３に、携帯電話端末１００が握られている様子を示す。左手で携帯電話端末１００が握られている。この状態では、親指が、タッチスイッチ１０１ａに触れている。更に、人差し指から小指までが、タッチスイッチ１０１ｂに触れている。従って、タッチスイッチ１０１ａとタッチスイッチ１０１ｂとは、タッチ状態（以下、ＯＮという。）を検出し、タッチスイッチ１０１ｃとタッチスイッチ１０１ｄとは、非タッチ状態（以下、ＯＦＦという。）を検出する。右手で握っている場合でも、同様にタッチスイッチ１０１ａとタッチスイッチ１０１ｂとは、ＯＮを検出し、タッチスイッチ１０１ｃとタッチスイッチ１０１ｄとは、ＯＦＦを検出する。
【００１５】
次に、使用者が両手で横向きに携帯電話端末１００を保持している状態について説明する。図４に、携帯電話端末１００が握られている様子を示す。この状態では、左手がタッチスイッチ１０１ｃに触れ、右手がタッチスイッチ１０１ｄに触れている。従って、タッチスイッチ１０１ｃとタッチスイッチ１０１ｄとは、ＯＮを検出し、タッチスイッチ１０１ａとタッチスイッチ１０１ｂとは、ＯＦＦを検出する。
【００１６】
次に、使用者が片手で横向きに携帯電話端末１００を保持している状態について説明する。図５に、携帯電話端末１００が握られている様子を示す。人差し指が、タッチスイッチ１０１ａに触れ、掌が、タッチスイッチ１０１ｄに触れ、親指が、タッチスイッチ１０１ｂに触れている。従って、タッチスイッチ１０１ａとタッチスイッチ１０１ｂとタッチスイッチ１０１ｄとは、ＯＮを検出し、タッチスイッチ１０１ｃは、ＯＦＦを検出する。
【００１７】
この状態で右手に持ち替えた場合には、人差し指が、タッチスイッチ１０１ａに触れ、掌が、タッチスイッチ１０１ｃに触れ、親指が、タッチスイッチ１０１ｂに触れる。従って、タッチスイッチ１０１ａとタッチスイッチ１０１ｂとタッチスイッチ１０１ｃとは、ＯＮを検出し、タッチスイッチ１０１ｄは、ＯＦＦを検出するようになる。
【００１８】
次に、携帯電話端末１００のハードウエア構成について説明する。図６に、携帯電話端末１００のハードウエア構成例を示す。携帯電話端末１００は、プロセッサ６０１、記憶部６０３、アンテナ６１１、無線制御部６１３、オーディオ制御部６１５、スピーカ６１７、マイク６１９、ディスプレイ６２１、タッチパッド６２３、キー群６２５、タッチスイッチ群６２７、電池６２９、振動装置６３１及び近接センサ１０３を有している。
【００１９】
プロセッサ６０１は、モデムＣＰＵ（Central Processing Unit）とアプリケーションＣＰＵからなることもある。記憶部６０３は、例えば、ＲＯＭ（Read Only Memory）６０５とＲＡＭ（Random Access Memory）６０７とフラッシュメモリ６０９を有している。ＲＯＭ６０５は、例えば、アプリケーションなどのプログラムを格納している。ＲＡＭ６０７は、例えば、アプリケーションなどのプログラムを展開する領域を含んでいる。フラッシュメモリ６０９は、例えば、ユーザデータを格納する。
【００２０】
タッチパッド６２３は、例えば、ディスプレイ６２１の表示画面上に配置されたパネル状のセンサであり、タッチ操作による指示を受け付ける。ディスプレイ６２１は、例えば、アプリケーションが表示させる各種画面を表示する。具体的には、ディスプレイ６２１とタッチパッド６２３とを一体としたタッチパネルとして用いられる。タッチパッド６２３は、ポインティングデバイスの例である。
【００２１】
ディスプレイ６２１は、有機ＥＬ（electroluminescence）方式あるいは液晶方式であってもよい。タッチパッド６２３は、抵抗膜方式、静電容量方式、光学式あるいは電磁誘導方式であってもよい。図１に示した表示面１０５は、ディスプレイ６２１の表面である。
【００２２】
アンテナ６１１は、例えば、セルラー方式、無線ＬＡＮ（Local Area Network）、近距離通信方式などの無線データを受信する。無線制御部６１３は、無線通信の制御を行う。無線通信の制御により、電話の音声通信やメールのデータ通信が行われる。
【００２３】
オーディオ制御部６１５は、音データに関するアナログ／デジタル変換とデジタル／アナログ変換を行う。スピーカ６１７は、アナログデータを音として出力する。マイク６１９は、音をアナログデータに変換する。
【００２４】
キー群６２５は、前述のキー１０７ａ乃至１０７ｃに相当する。タッチスイッチ群６２７は、前述のタッチスイッチ１０１ａ乃至１０１ｄに相当する。電池６２９は、図６に示した各デバイスに電力を供給する。振動装置６３１は、振動による通知に用いられる。
【００２５】
次に、本実施の形態に係るモジュール構成について説明する。図７に、携帯電話端末１００のモジュール構成例を示す。本実施の形態では、携帯電話端末１００は、イベント取得部７０１、第１判定部７０３及びロック制御部７０５を有している。イベント取得部７０１は、イベントを取得する。第１判定部７０３は、本実施の形態に係るモードの判定を行う。ロック制御部７０５は、ロック機能を制御する。
【００２６】
次に、本実施の形態における処理について説明する。図８に、全体処理フローを示す。イベント取得部７０１は、スイッチイベントを取得する（Ｓ８０１）。第１判定部７０３は、第１判定処理（Ａ）を行う（Ｓ８０３）。但し、後述する第１判定処理（Ｂ乃至Ｄ）を行うようにしてもよい。
【００２７】
図９に、第１判定処理（Ａ）フローを示す。第１判定部７０３は、タッチスイッチ１０１ａとタッチスイッチ１０１ｂとがＯＮを検出し、かつタッチスイッチ１０１ｃとタッチスイッチ１０１ｄとがＯＦＦを検出した状態であるか否かを判定する（Ｓ９０１）。
【００２８】
つまり、第１判定部７０３は、タッチスイッチ１０１ａの検出結果によって、左側面が接触していることを判定し、更に、タッチスイッチ１０１ｂの検出結果によって、右側面が左側面と同様に接触していることを判定する。また、第１判定部７０３は、タッチスイッチ１０１ｃの検出結果によって、上面が接触していないことを判定し、更に、タッチスイッチ１０１ｄの検出結果によって、底面も上面と同様に接触していないことを判定する。
【００２９】
タッチスイッチ１０１ａとタッチスイッチ１０１ｂとがＯＮを検出し、かつタッチスイッチ１０１ｃとタッチスイッチ１０１ｄとがＯＦＦを検出した状態であると判定した場合には、第１判定部７０３は、第２のモードと判定し（Ｓ９０３）、第１判定処理（Ａ）を終える。第２のモードは、携帯電話端末１００が握られていると推定される状態における方式を指す。この状態は、図３に示した状態に相当する。
【００３０】
一方、タッチスイッチ１０１ａとタッチスイッチ１０１ｂとがＯＮを検出し、かつタッチスイッチ１０１ｃとタッチスイッチ１０１ｄとがＯＦＦを検出した状態ではないと判定した場合には、第１判定部７０３は、タッチスイッチ１０１ｃとタッチスイッチ１０１ｄとがＯＮを検出し、タッチスイッチ１０１ａとタッチスイッチ１０１ｂとがＯＦＦを検出した状態であるか否かを判定する（Ｓ９０５）。タッチスイッチ１０１ｃとタッチスイッチ１０１ｄとがＯＮを検出し、タッチスイッチ１０１ａとタッチスイッチ１０１ｂとがＯＦＦを検出した状態であると判定した場合には、第１判定部７０３は、第２のモードと判定し（Ｓ９０３）、第１判定処理（Ａ）を終える。この状態は、図４に示した状態に相当する。
【００３１】
一方、タッチスイッチ１０１ｃとタッチスイッチ１０１ｄとがＯＮを検出し、タッチスイッチ１０１ａとタッチスイッチ１０１ｂとがＯＦＦを検出した状態ではないと判定した場合には、第１判定部７０３は、タッチスイッチ１０１ａとタッチスイッチ１０１ｂとタッチスイッチ１０１ｃとがＯＮを検出し、かつタッチスイッチ１０１ｄがＯＦＦを検出した状態であるか否かを判定する（Ｓ９０７）。タッチスイッチ１０１ａとタッチスイッチ１０１ｂとタッチスイッチ１０１ｃとがＯＮを検出し、かつタッチスイッチ１０１ｄがＯＦＦを検出した状態であると判定した場合には、第１判定部７０３は、第２のモードと判定し（Ｓ９０３）、第１判定処理（Ａ）を終える。この状態は、図５に示した携帯電話端末１００を右手に持ち替えた状態に相当する。
【００３２】
一方、タッチスイッチ１０１ａとタッチスイッチ１０１ｂとタッチスイッチ１０１ｃとがＯＮを検出し、かつタッチスイッチ１０１ｄがＯＦＦを検出した状態ではないと判定した場合には、第１判定部７０３は、タッチスイッチ１０１ａとタッチスイッチ１０１ｂとタッチスイッチ１０１ｄとがＯＮを検出し、かつタッチスイッチ１０１ｃがＯＦＦを検出した状態であるか否かを判定する（Ｓ９０９）。タッチスイッチ１０１ａとタッチスイッチ１０１ｂとタッチスイッチ１０１ｄとがＯＮを検出し、かつタッチスイッチ１０１ｃがＯＦＦを検出した状態であると判定した場合には、第１判定部７０３は、第２のモードと判定し（Ｓ９０３）、第１判定処理（Ａ）を終える。この状態は、図５に示した状態に相当する。
【００３３】
一方、タッチスイッチ１０１ａとタッチスイッチ１０１ｂとタッチスイッチ１０１ｄとがＯＮを検出し、かつタッチスイッチ１０１ｃがＯＦＦを検出した状態ではないと判定した場合には、第１判定部７０３は、第１のモードと判定し（Ｓ９１１）、第１判定処理（Ａ）を終える。第１のモードは、携帯電話端末１００が握られていないと推定される状態における方式を指す。
【００３４】
第１判定処理（Ａ）を終えると、図８のＳ８０５へ戻る。
【００３５】
図８の全体処理フローの説明に戻って、ロック制御部７０５は、判定結果が第１のモードであるかあるいは第２のモードであるかを判定する（Ｓ８０５）。判定結果が第１のモードであると判定した場合には、ロック制御部７０５は、ロックが設定されているか否かを判定する（Ｓ８０７）。ロックが設定されていないと判定した場合には、ロック制御部７０５は、ロック設定処理を行い（Ｓ８０９）、Ｓ８０１の処理に戻る。この処理によって、携帯電話端末１００はロックしている状態になる。ロックが設定されていると判定した場合には、Ｓ８０１の処理に戻る。
【００３６】
Ｓ８０５で、判定結果が第２のモードであると判定した場合には、ロック制御部７０５は、ロックが解除されているか否かを判定する（Ｓ８１１）。ロックが解除されていないと判定した場合には、ロック制御部７０５は、ロック解除処理を行い（Ｓ８１３）、Ｓ８０１の処理に戻る。この処理によって、携帯電話端末１００はロックしていない状態になる。ロックが解除されていると判定した場合には、Ｓ８０１の処理に戻る。以上で、本実施の形態の全体処理の説明を終える。ロック制御部７０５は、ロック解除処理（Ｓ８１３）の前にパスワード入力画面を表示し、受け付けたパスワードにより、ユーザ認証された場合にロック解除処理を行なうようにしてもよい。
【００３７】
本実施の形態によれば、左右面あるいは上下面のように、少なくとも筐体において対向する２面が同時に接触しているか否かを検知することによって、携帯電話端末１００が使用者によって握られているか否かを判定することができる。
【００３８】
このようにすれば、使用者によって握られたときにロック機能を解除するので、使用者による解除操作を不要とし、使用者は携帯端末を握るとすぐに使えるようになる。
【００３９】
このようにすれば、携帯電話端末１００が放されたときに自動的にロックし、常時機密が保持されるようになる。
【００４０】
［実施の形態２］
本実施の形態では、近接センサ１０３を用いてモード判定を行う例について説明する。この例では、近接物を検出した場合に、ポケットの中のように使用されない状態であると推定し、第１のモードと判定する。
【００４１】
モジュールの構成は、図７に示した通りである。
【００４２】
本実施の形態における処理について説明する。図１０に、第１判定処理（Ｂ）フローを示す。Ｓ９０１で、タッチスイッチ１０１ａとタッチスイッチ１０１ｂとがＯＮを検出し、かつタッチスイッチ１０１ｃとタッチスイッチ１０１ｄとがＯＦＦを検出した状態であると判定した場合には、第１判定部７０３は、近接センサによる感知があるか否かを判定する（Ｓ１００１）。近接センサによる感知がないと判定した場合には、第２のモードと判定し（Ｓ１００３）、第１判定処理（Ｂ）を終える。近接センサによる感知があると判定した場合には、第１のモードと判定し（Ｓ１００５）、第１判定処理（Ｂ）を終える。
【００４３】
Ｓ９０５で、タッチスイッチ１０１ｃとタッチスイッチ１０１ｄとがＯＮを検出し、タッチスイッチ１０１ａとタッチスイッチ１０１ｂとがＯＦＦを検出した状態であると判定した場合には、前述と同様のＳ１００１の処理に移る。
【００４４】
Ｓ９０７で、タッチスイッチ１０１ａとタッチスイッチ１０１ｂとタッチスイッチ１０１ｃとがＯＮを検出し、かつタッチスイッチ１０１ｄがＯＦＦを検出した状態であると判定した場合には、前述と同様のＳ１００１の処理に移る。
【００４５】
Ｓ９０９で、タッチスイッチ１０１ａとタッチスイッチ１０１ｂとタッチスイッチ１０１ｄとがＯＮを検出し、かつタッチスイッチ１０１ｃがＯＦＦを検出した状態であると判定した場合には、前述と同様のＳ１００１の処理に移る。他の処理は、図９と同様である。
【００４６】
本実施の形態によれば、ポケットの中のように使用されない状態を推定し、携帯電話端末１００を握っていない状態と同様に扱うことができる。
【００４７】
［実施の形態３］
本実施の形態では、タッチスイッチ１０１ｃとタッチスイッチ１０１ｄとを省く例について説明する。
【００４８】
図１１に、実施の形態３に係る携帯電話端末１００の正面図を示す。左側面には、前述と同様にタッチスイッチ１０１ａが設置されている。また、右側面には、前述と同様にタッチスイッチ１０１ｂが設置されている。但し、上面には、前述のタッチスイッチ１０１ｃが設置されていない。更に、底面には、前述のタッチスイッチ１０１ｄが設置されていない。
【００４９】
モジュールの構成は、図７に示した通りである。
【００５０】
次に、本実施の形態における処理について説明する。図１２に、第１判定処理（Ｃ）フローを示す。第１判定部７０３は、タッチスイッチ１０１ａとタッチスイッチ１０１ｂとがＯＮを検出した状態であるか否かを判定する（Ｓ１２０１）。タッチスイッチ１０１ａとタッチスイッチ１０１ｂとがＯＮを検出した状態であると判定した場合には、第１判定部７０３は、第２のモードと判定する（Ｓ１２０３）。タッチスイッチ１０１ａとタッチスイッチ１０１ｂとがＯＮを検出した状態ではないと判定した場合には、第１判定部７０３は、第１のモードと判定する（Ｓ１２０５）。
【００５１】
この例では、タッチスイッチ１０１ｃとタッチスイッチ１０１ｄとを省く例を示したが、タッチスイッチ１０１ａとタッチスイッチ１０１ｂを省くようにしてもよい。その場合には、第１判定処理（Ｃ）のＳ１２０１で、第１判定部７０３は、タッチスイッチ１０１ｃとタッチスイッチ１０１ｄとがＯＮを検出した状態であるか否かを判定する。タッチスイッチ１０１ｃとタッチスイッチ１０１ｄとがＯＮを検出した状態であると判定した場合には、第１判定部７０３は、Ｓ１２０３で第２のモードと判定する。タッチスイッチ１０１ｃとタッチスイッチ１０１ｄとがＯＮを検出した状態ではないと判定した場合には、第１判定部７０３は、Ｓ１２０５で第１のモードと判定する。
【００５２】
本実施の形態によれば、筐体において対向する２面が同時に接触しているか否かを検知することによって、携帯電話端末１００が使用者に握られているか否かを判定することができる。
【００５３】
［実施の形態４］
本実施の形態では、背面にタッチスイッチ１０１を設ける例について説明する。
【００５４】
図１３に、実施の形態４に係る携帯電話端末１００の背面図を示す。携帯電話端末１００の背面に、タッチスイッチ１０１ｅが設置されている。
【００５５】
モジュールの構成は、図７に示した通りである。
【００５６】
次に、本実施の形態における処理について説明する。図１４に、第１判定処理（Ｄ）フローを示す。第１判定部７０３は、タッチスイッチ１０１ａとタッチスイッチ１０１ｂとタッチスイッチ１０１ｅとがＯＮを検出した状態であるか否かを判定する（Ｓ１４０１）。タッチスイッチ１０１ａとタッチスイッチ１０１ｂとタッチスイッチ１０１ｅとがＯＮを検出した状態であると判定した場合には、第１判定部７０３は、第２のモードと判定する（Ｓ１４０３）。タッチスイッチ１０１ａとタッチスイッチ１０１ｂとタッチスイッチ１０１ｅとがＯＮを検出した状態ではないと判定した場合には、第１判定部７０３は、第１のモードと判定する（Ｓ１４０５）。
【００５７】
この例では、図３乃至図５に示したように、使用者が携帯電話端末１００を握っている状態では、背面にも接触していることに着目している。背面に接触されていない場合には、使用者が携帯電話端末１００を握っていない状態であると推定する。従って、上述のようにタッチスイッチ１０１ｅがＯＦＦを検出した場合には、第２のモードではなく、第１のモードと判定するように処理している。
【００５８】
この例では、実施の形態３に基づいて、タッチスイッチ１０１ｅを加える例を示したが、実施の形態１に基づいて、タッチスイッチ１０１ｅを加えるようにしてもよい。
【００５９】
本実施の形態によれば、背面も同時に接触しているか否かを検知することによって、握られている態様を推定することができる。
【００６０】
［実施の形態５］
本実施の形態では、第１のモードを検出してから所定時間を経過した後にロックを設定する例について説明する。
【００６１】
モジュールの構成は、図７に示した通りである。
【００６２】
次に、本実施の形態における処理について説明する。図１５に、実施の形態５に係る全体処理フローを示す。Ｓ８０１とＳ８０３との処理は、図８と同様である。
【００６３】
ロック制御部７０５は、判定結果が第１のモードであるかあるいは第２のモードであるかを判定する（Ｓ１５０１）。判定結果が第１のモードであると判定した場合には、ロック制御部７０５は、タイマが動作しているか否かを判定する（Ｓ１５０３）。タイマは、第１のモードを検出してからの経過時間を計測するために用いられる。タイマが動作していないと判定した場合には、ロック制御部７０５は、タイマの動作を開始させ（Ｓ１５０５）、Ｓ１５０７の処理に移る。タイマが動作していると判定した場合には、直接Ｓ１５０７の処理に移る。
【００６４】
ロック制御部７０５は、第１のモードを検出してから所定時間が経過したか否かを判定する（Ｓ１５０７）。第１のモードを検出してから所定時間が経過していないと判定した場合には、Ｓ８０１に戻り、上述の処理を繰り返す。
【００６５】
第１のモードを検出してから所定時間が経過したと判定した場合には、ロック制御部７０５は、タイマの動作を終了させる（Ｓ１５０９）。そして、ロック制御部７０５は、ロックが設定されているか否かを判定する（Ｓ１５１１）。ロックが設定されていると判定した場合には、Ｓ８０１に戻る。ロックが設定されていないと判定した場合には、ロック制御部７０５は、ロック設定処理を行い（Ｓ１５１３）、Ｓ８０１の処理に戻る。この処理によって、携帯電話端末１００はロックしている状態になる。
【００６６】
Ｓ１５０１で、判定結果が第２のモードであると判定した場合には、ロック制御部７０５は、ロックが解除されているか否かを判定する（Ｓ１５１５）。ロックが解除されていると判定した場合には、Ｓ８０１に戻る。ロックが解除されていないと判定した場合には、ロック制御部７０５は、ロック解除処理を行い（Ｓ１５１７）、タイマの動作を終了させる（Ｓ１５１９）。そして、Ｓ８０１の処理に戻る。
【００６７】
本実施の形態によれば、第１のモードを検出してから所定時間を経過した後にロックを設定するので、頻繁なロック制御動作を防ぐことができる。
【００６８】
［実施の形態６］
本実施の形態では、携帯電話端末１００が握られていない状態で、電力の供給を抑制する例について説明する。
【００６９】
本実施の形態に係るモジュール構成について説明する。図１６に、実施の形態６に係る携帯電話端末１００のモジュール構成例を示す。イベント取得部７０１と第１判定部７０３は、図７と同様である。本実施の形態の携帯電話端末１００は、電池制御部１６０１を有している。電池制御部１６０１は、電池６２９による電力供給を制御する。具体的には、電池６２９から携帯電話端末１００の一部のデバイスへの電力供給を休止させる処理と、休止させた電力供給を再開させる処理とを行う。電池制御部１６０１は、例えば、ディスプレイ６２１への電力供給を休止させ、再開させるようにしてもよい。
【００７０】
次に、本実施の形態における処理について説明する。図１７に、実施の形態６に係る全体処理フローを示す。イベント取得部７０１が、スイッチイベントを取得し（Ｓ１７０１）、第１判定部７０３が、第１判定処理を行う（Ｓ１７０３）ことは、前述と同様である。第１判定処理は、上述の第１判定処理（Ａ乃至Ｄ）のいずれであってもよい。
【００７１】
電池制御部１６０１は、判定結果が第１のモードであるかあるいは第２のモードであるかを判定する（Ｓ１７０５）。判定結果が第１のモードであると判定した場合には、電池制御部１６０１は、一部の電力供給を休止しているか否かを判定する（Ｓ１７０７）。一部の電力供給を休止していないと判定した場合には、電池制御部１６０１は、一部の電力供給を休止する処理を行う（Ｓ１７０９）。一部の電力供給を休止していると判定した場合には、Ｓ１７０１の処理に戻る。
【００７２】
Ｓ１７０５で、判定結果が第２のモードであると判定した場合には、電池制御部１６０１は、一部の電力供給を休止しているか否かを判定する（Ｓ１７１１）。一部の電力供給を休止していると判定した場合には、電池制御部１６０１は、一部の電力供給を再開する処理を行う（Ｓ１７１３）。一部の電力供給を休止していないと判定した場合には、Ｓ１７０１の処理に戻る。
【００７３】
本実施の形態によれば、携帯電話端末１００が放されたときに自動的に電力供給を休止し、常時節電するようになる。
【００７４】
［実施の形態７］
本実施の形態では、第１のモードを検出してから所定時間を経過した後に一部の電力供給を休止する例について説明する。
【００７５】
モジュールの構成は、図１６に示した通りである。
【００７６】
次に、本実施の形態における処理について説明する。図１８に、実施の形態７に係る全体処理フローを示す。図１７と同様に、イベント取得部７０１は、スイッチイベントを取得し（Ｓ１７０１）、第１判定部７０３は、第１判定処理を行う（Ｓ１７０３）。
【００７７】
そして、電池制御部１６０１は、判定結果が第１のモードであるかあるいは第２のモードであるかを判定する（Ｓ１８０１）。判定結果が第１のモードであると判定した場合には、電池制御部１６０１は、タイマが動作しているか否かを判定する（Ｓ１８０３）。タイマは、前述と同様に第１のモードを検出してからの経過時間を計測するために用いられる。タイマが動作していないと判定した場合には、電池制御部１６０１は、タイマの動作を開始させ（Ｓ１８０５）、Ｓ１８０７の処理に移る。タイマが動作していると判定した場合には、直接Ｓ１８０７の処理に移る。
【００７８】
電池制御部１６０１は、第１のモードを検出してから所定時間が経過したか否かを判定する（Ｓ１８０７）。第１のモードを検出してから所定時間が経過していないと判定した場合には、Ｓ１７０１に戻り、上述の処理を繰り返す。
【００７９】
第１のモードを検出してから所定時間が経過したと判定した場合には、電池制御部１６０１は、タイマの動作を終了させる（Ｓ１８０９）。そして、電池制御部１６０１は、一部の電力供給を休止しているか否かを判定する（Ｓ１８１１）。一部の電力供給を休止していると判定した場合には、Ｓ１７０１の処理に戻る。一部の電力供給を休止していないと判定した場合には、電池制御部１６０１は、一部の電力供給を休止する処理を行い（Ｓ１８１３）、Ｓ１７０１の処理に戻る。
【００８０】
一方、Ｓ１８０１で、判定結果が第２のモードであると判定した場合には、電池制御部１６０１は、一部の電力供給を休止しているか否かを判定する（Ｓ１８１５）。一部の電力供給を休止していないと判定した場合には、Ｓ１７０１に戻る。一部の電力供給を休止していると判定した場合には、電池制御部１６０１は、一部の電力供給を再開し（Ｓ１８１７）、タイマの動作を終了させる（Ｓ１８１９）。そして、Ｓ１７０１の処理に戻る。
【００８１】
本実施の形態によれば、第１のモードを検出してから所定時間を経過した後にロックを設定するので、頻繁な電池制御動作を防ぐことができる。
【００８２】
［実施の形態８］
本実施の形態では、携帯電話端末１００が握られていない状態で操作イベントを受け付けない例について説明する。
【００８３】
本実施の形態に係るモジュール構成について説明する。図１９に、実施の形態８に係る携帯電話端末１００のモジュール構成例を示す。イベント取得部７０１と第１判定部７０３とは、前述の図７及び図１６と同様である。本実施の形態に係る携帯電話端末１００は、イベント転送部１９０１とアプリケーション部１９０３とを有している。本実施の形態で、イベント取得部７０１は、タッチスイッチ１０１ａ乃至１０１ｄからのイベントの他、タッチパッド６２３及びキー群６２５からの操作イベントを取得する。操作イベントは、通常状態においてアプリケーション部１９０３に転送されるべきイベントである。イベント転送部１９０１は、イベント取得部７０１で取得した操作イベントを、第１判定部７０３によって判定されたモードに応じてアプリケーション部１９０３に転送しあるいは破棄する処理を行う。アプリケーション部１９０３は、操作イベントを受けてアプリケーション処理を行う。
【００８４】
次に、本実施の形態における処理について説明する。図２０に、実施の形態８に係る全体処理フローを示す。イベント取得部７０１は、キーイベント又はタッチパネルイベントの発生を待つ（Ｓ２００１）。キーイベント又はタッチパネルイベントが発生すると、イベント取得部７０１は、スイッチイベントを取得する（Ｓ２００３）。第１判定部７０３は、前述と同様に第１判定処理を行う（Ｓ２００５）。イベント転送部１９０１は、判定結果が第１のモードであるかあるいは第２のモードであるかを判定する（Ｓ２００７）。判定結果が第１のモードであると判定した場合には、イベント転送部１９０１は、キーイベント又はタッチパネルイベントをアプリケーション部１９０３に通知せずに、破棄する（Ｓ２００９）。判定結果が第２のモードであると判定した場合には、イベント転送部１９０１は、アプリケーション部１９０３にイベントを転送する（Ｓ２０１１）。そして、処理はＳ２００１に戻る。
【００８５】
この例では、アプリケーション部１９０３に転送されるべき操作イベントが破棄される例を示したが、携帯電話端末１００で動作するオペレーティングシステムに転送されるべき操作イベントが破棄されるようにしてもよい。
【００８６】
本実施の形態によれば、使用者によって握られていないときの操作が無効となるので、意図しない操作による誤動作を防止することができる。
【００８７】
［実施の形態９］
本実施の形態では、携帯電話端末１００が握られていない状態でアラームを停止する例について説明する。
【００８８】
次に、本実施の形態に係るモジュール構成について説明する。図２１に、実施の形態９に係る携帯電話端末１００のモジュール構成例を示す。イベント取得部７０１と第１判定部７０３は、図７と同様である。本実施の形態の携帯電話端末１００は、通知部２１０１を有している。通知部２１０１は、例えば通話あるいはメールの着信あるいは目覚まし機能などにより起動される通知処理を行う。通知の方法には、アラーム音や呼び出し音のような音による通知の方法と、表示や振動のような音以外の通知の方法が含まれる。
【００８９】
次に、本実施の形態における処理について説明する。図２２に、実施の形態９に係る全体処理フローを示す。通知部２１０１は、音による通知対象のイベントが有効であるか否かを判定する（Ｓ２２０１）。例えば、目覚まし時刻に至った場合に、このイベントが有効になる。また、通知の停止指示があるまで、あるいは通知期間を経過するまで、イベントが有効な状態は継続する。着信による呼び出しである場合も、このイベントが有効になる。着信による呼び出しの場合は、受信を拒否する指示を受け付けるまで、あるいは呼び出しに応答するまで、イベントが有効な状態は継続するようにしてもよい。
【００９０】
音による通知対象のイベントが有効でないと判定した場合は、Ｓ２２０１の判定処理を繰り返す。
【００９１】
音による通知対象のイベントが有効であると判定すると、イベント取得部７０１は、前述と同様にスイッチイベントを取得する（Ｓ２２０３）。更に、第１判定部７０３は、第１判定処理を行う（Ｓ２２０５）。第１判定処理は、上述の第１判定処理（Ａ乃至Ｄ）のいずれであってもよい。
【００９２】
通知部２１０１は、判定結果が第１のモードであるかあるいは第２のモードであるかを判定する（Ｓ２２０７）。判定結果が第１のモードであると判定した場合には、通知部２１０１は、音による通知処理を行う（Ｓ２２０９）。通知部２１０１は、スピーカ６１７から通知音を発せさせる。
【００９３】
一方、判定結果が第２のモードであると判定した場合には、通知部２１０１は、サイレントモード処理を行う（Ｓ２２１１）。通知部２１０１は、音による通知を停止させる。通知部２１０１は、例えば、ディスプレイ６２１に通知内容を表示させ、あるいは振動装置６３１を振動させるようにしてもよい。
【００９４】
本実施の形態によれば、使用者によって握られると、アラーム音や呼び出し音のような通知音が止むようになる。
【００９５】
［実施の形態１０］
本実施の形態では、タッチスイッチ１０１ａ乃至１０１ｄによる検出結果に基づいて表示の向きを変更する例について説明する。
【００９６】
次に、本実施の形態に係るモジュール構成について説明する。図２３に、実施の形態１０に係る携帯電話端末１００のモジュール構成例を示す。イベント取得部７０１は、図７と同様である。本実施の形態の携帯電話端末１００は、第２判定部２３０１及び表示制御部２３０３を有している。第２判定部２３０１は、前述のモードと携帯電話端末１００の向きとを判定する。表示制御部２３０３は、ディスプレイ６２１による表示を制御する。
【００９７】
次に、本実施の形態における処理について説明する。図２４に、実施の形態１０に係る全体処理フローを示す。第２判定部２３０１は、第２判定処理を行う（Ｓ２４０１）。
【００９８】
図２５に、第２判定処理フローの例を示す。第２判定部２３０１は、タッチスイッチ１０１ａとタッチスイッチ１０１ｂとがＯＮを検出し、かつタッチスイッチ１０１ｃとタッチスイッチ１０１ｄとがＯＦＦを検出した状態であるか否かを判定する（Ｓ２５０１）。タッチスイッチ１０１ａとタッチスイッチ１０１ｂとがＯＮを検出し、かつタッチスイッチ１０１ｃとタッチスイッチ１０１ｄとがＯＦＦを検出した状態であると判定した場合には、第２判定部２３０１は、第２のモードであり、かつ携帯電話端末１００の向きを「縦向き」と判定し（Ｓ２５０３）、第２判定処理を終える。この状態は、図３に示した状態に相当する。
【００９９】
一方、タッチスイッチ１０１ａとタッチスイッチ１０１ｂとがＯＮを検出し、かつタッチスイッチ１０１ｃとタッチスイッチ１０１ｄとがＯＦＦを検出した状態ではないと判定した場合には、第２判定部２３０１は、タッチスイッチ１０１ｃとタッチスイッチ１０１ｄとがＯＮを検出し、タッチスイッチ１０１ａとタッチスイッチ１０１ｂとがＯＦＦを検出した状態であるか否かを判定する（Ｓ２５０５）。第２判定部２３０１は、タッチスイッチ１０１ｃとタッチスイッチ１０１ｄとがＯＮを検出し、タッチスイッチ１０１ａとタッチスイッチ１０１ｂとがＯＦＦを検出した状態であると判定した場合には、第２判定部２３０１は、第２のモードであり、かつ携帯電話端末１００の向きを「横向き」と判定し（Ｓ２５０７）、第２判定処理を終える。この状態は、図４に示した状態に相当する。
【０１００】
一方、タッチスイッチ１０１ｃとタッチスイッチ１０１ｄとがＯＮを検出し、タッチスイッチ１０１ａとタッチスイッチ１０１ｂとがＯＦＦを検出した状態ではないと判定した場合には、第２判定部２３０１は、タッチスイッチ１０１ａとタッチスイッチ１０１ｂとタッチスイッチ１０１ｃとがＯＮを検出し、かつタッチスイッチ１０１ｄがＯＦＦを検出した状態であるか否かを判定する（Ｓ２５０９）。タッチスイッチ１０１ａとタッチスイッチ１０１ｂとタッチスイッチ１０１ｃとがＯＮを検出し、タッチスイッチ１０１ｄがＯＦＦを検出した状態であると判定した場合には、第２判定部２３０１は、第２のモードであり、かつ携帯電話端末１００の向きを「横向き」と判定し（Ｓ２５０７）、第２判定処理を終える。この状態は、図５に示した携帯電話端末１００を右手に持ち替えた状態に相当する。
【０１０１】
一方、タッチスイッチ１０１ａとタッチスイッチ１０１ｂとタッチスイッチ１０１ｃとがＯＮを検出し、かつタッチスイッチ１０１ｄがＯＦＦを検出した状態ではないと判定した場合には、第２判定部２３０１は、タッチスイッチ１０１ａとタッチスイッチ１０１ｂとタッチスイッチ１０１ｄとがＯＮを検出し、かつタッチスイッチ１０１ｃがＯＦＦを検出した状態であるか否かを判定する（Ｓ２５１１）。タッチスイッチ１０１ａとタッチスイッチ１０１ｂとタッチスイッチ１０１ｄとがＯＮを検出し、かつタッチスイッチ１０１ｃがＯＦＦを検出した状態であると判定した場合には、第２判定部２３０１は、第２のモードであり、かつ携帯電話端末１００の向きを「横向き」と判定し（Ｓ２５０７）、第２判定処理を終える。この状態は、図５に示した状態に相当する。
【０１０２】
一方、タッチスイッチ１０１ａとタッチスイッチ１０１ｂとタッチスイッチ１０１ｄとがＯＮを検出し、かつタッチスイッチ１０１ｃがＯＦＦを検出した状態ではないと判定した場合には、第２判定部２３０１は、第１のモードと判定し（Ｓ２５１３）、第２判定処理を終える。
【０１０３】
図２４に示した全体処理フローの説明に戻って、表示制御部２３０３は、判定結果のモードが第２のモードであるか否かを判定する（Ｓ２４０３）。第２のモードではないと判定した場合には、Ｓ２４０１の処理に戻る。
【０１０４】
一方、表示制御部２３０３は、携帯電話端末１００の向きが「縦向き」であるかあるいは「横向き」であるかを判定する（Ｓ２４０５）。携帯電話端末１００の向きが「縦向き」であると判定した場合には、表示制御部２３０３は、ディスプレイ６２１で縦向きに表示中であるか否かを判定する（Ｓ２４０７）。縦向きに表示中であると判定した場合には、Ｓ２４０１の処理に戻る。縦向きに表示中ではないと判定した場合には、表示制御部２３０３は、ディスプレイ６２１における表示を縦向きに変更する（Ｓ２４０９）。
【０１０５】
Ｓ２４０５で、携帯電話端末１００の向きが「横向き」であると判定した場合には、表示制御部２３０３は、ディスプレイ６２１で横向きに表示中であるか否かを判定する（Ｓ２４１１）。ディスプレイ６２１で横向きに表示中であると判定した場合には、Ｓ２４０１の処理に戻る。ディスプレイ６２１で横向きに表示中ではないと判定した場合には、表示制御部２３０３は、ディスプレイ６２１における表示を横向きに変更する（Ｓ２４１３）。
【０１０６】
このようにすれば、左右側面以外の上面や底面も同時に接触しているか否かを検知することによって、握られている態様を推定することができる。従って、携帯電話端末１００の向きも推定することができる。
【０１０７】
上述の各全体処理フローを実行するか否かをユーザが予め設定するようにしてもよい。また、ユーザの指示により、上述の各全体処理フローを実行する場合としない場合とを、その都度変更するようにしてもよい。
【０１０８】
以上本技術の一実施の形態を説明したが、本技術はこれに限定されるものではない。例えば、上述の機能ブロック構成はプログラムモジュール構成に一致しない場合もある。
【０１０９】
また、上で説明した各記憶領域の構成は一例であって、上記のような構成でなければならないわけではない。さらに、処理フローにおいても、処理結果が変わらなければ処理の順番を入れ替えることも可能である。さらに、並列に実行させるようにしても良い。
【０１１０】
以上述べた実施の形態をまとめると、以下のようになる。
【０１１１】
本実施の形態に係る携帯装置は、筐体において対向する第１の面及び第２の面の各々に設けられた第１のタッチスイッチ及び第２のタッチスイッチと、第１のタッチスイッチ及び第２のタッチスイッチにより、第１の面及び第２の面が同時に接触しているか否かを判定する判定部とを有する。
【０１１２】
このようにすれば、筐体において対向する２面が同時に接触しているか否かを検知することによって、携帯装置が使用者によって握られているか否かを判定することができる。
【０１１３】
また、携帯装置は、  第１の面及び第２の面以外の第３の面に設けられた第３のタッチスイッチを有するようにしてもよい。更に、上記判定部は、更に第３のタッチスイッチにより、第１の面及び第２の面に加えて、第３の面が同時に接触しているか否かを判定するようにしてもよい。
【０１１４】
このようにすれば、もう一つの面も同時に接触しているか否かを検知することによって、握られている態様を推定することができる。
【０１１５】
また、上記判定部は、第１の面、第２の面及び第３の面の接触状態に基づいて、携帯装置の向きを判定するようにしてもよい。
【０１１６】
このようにすれば、握られている態様に基づいて、携帯装置の向きを推定することができる。
【０１１７】
また、携帯装置は、近接物を検知する近接センサを有するようにしてもよい。更に、上記判定部は、更に近接物があるか否かを判定するようにしてもよい。
【０１１８】
このようにすれば、ポケットの中のように使用されない状態を推定することができる。
【０１１９】
また、携帯装置は、第１の面及び第２の面が同時に接触していると判定した場合に、ロック機能を解除する第１の制御部を有するようにしてもよい。
【０１２０】
このようにすれば、使用者によって握られたときにロック機能を解除するので、使用者による解除操作を不要とし、使用者は携帯装置を握るとすぐに使えるようになる。
【０１２１】
また、上記第１の制御部は、第１の面及び第２の面が同時に接触している状態ではない場合に、ロック機能を起動させるようにしてもよい。
【０１２２】
このようにすれば、携帯装置が放されたときに自動的にロックし、常時機密が保持されるようになる。
【０１２３】
また、携帯装置は、第１の面及び第２の面が同時に接触していると判定した場合に、休止している電力供給を再開する第２の制御部を有するようにしてもよい。
【０１２４】
このようにすれば、使用者によって握られたときに自動的に電力供給が再開するので、使用者は携帯装置を握るとすぐに休止していた機能を使えるようになる。
【０１２５】
また、上記第２の制御部は、第１の面及び第２の面が同時に接触している状態ではない場合に、電力供給を休止するようにしてもよい。
【０１２６】
このようにすれば、携帯装置が放されたときに自動的に電力供給を休止し、常時節電するようになる。
【０１２７】
また、携帯装置は、第１の面及び第２の面が同時に接触している状態ではない場合に、転送すべき操作イベントを破棄する転送部を有するようにしてもよい。
【０１２８】
このようにすれば、使用者によって握られていないときの操作が無効となるので、意図しない操作による誤動作を防止することができる。
【０１２９】
また、携帯装置は、第１の面及び第２の面が同時に接触していると判定した場合に、音による通知を停止する通知部を有するようにしてもよい。
【０１３０】
このようにすれば、使用者によって握られると通知音が止むようになる。
【０１３１】
なお、上記装置により実行される処理をプロセッサに行わせるためのプログラムを作成することができ、当該プログラムは、例えばフレキシブルディスク、ＣＤ−ＲＯＭ、光磁気ディスク、半導体メモリ、ハードディスク等のコンピュータ読み取り可能な記憶媒体又は記憶装置に格納される。尚、中間的な処理結果はメインメモリ等の記憶装置に一時保管される。
【０１３２】
以上の実施例を含む実施形態に関し、さらに以下の付記を開示する。
【０１３３】
（付記１）
筐体において対向する第１の面及び第２の面の各々に設けられた第１のタッチスイッチ及び第２のタッチスイッチと、
前記第１のタッチスイッチ及び前記第２のタッチスイッチにより、前記第１の面及び前記第２の面が同時に接触しているか否かを判定する判定部と
を有する携帯装置。
【０１３４】
（付記２）
更に、
前記第１の面及び前記第２の面以外の第３の面に設けられた第３のタッチスイッチ
を有し、
前記判定部は、更に前記第３のタッチスイッチにより、前記第１の面及び前記第２の面に加えて、前記第３の面が同時に接触しているか否かを判定する
付記１記載の携帯装置。
【０１３５】
（付記３）
前記判定部は、前記第１の面、前記第２の面及び前記第３の面の接触状態に基づいて、前記携帯装置の向きを判定する
付記２記載の携帯装置。
【０１３６】
（付記４）
更に、
近接物を検知する近接センサ
を有し、
前記判定部は、更に近接物があるか否かを判定する
付記１乃至３記載の携帯装置。
【０１３７】
（付記５）
前記第１の面及び前記第２の面が同時に接触していると判定した場合に、ロック機能を解除する第１の制御部
を有する付記１乃至４のいずれか１つ記載の携帯装置。
【０１３８】
（付記６）
前記第１の制御部は、
前記第１の面及び前記第２の面が同時に接触している状態ではない場合に、前記ロック機能を起動させる
付記５記載の携帯装置。
【０１３９】
（付記７）
更に、
前記第１の面及び前記第２の面が同時に接触していると判定した場合に、休止している電力供給を再開する第２の制御部
を有する付記１乃至６のいずれか１つ記載の携帯装置。
【０１４０】
（付記８）
前記第２の制御部は、
前記第１の面及び前記第２の面が同時に接触している状態ではない場合に、前記電力供給を休止する
付記７記載の携帯装置。
【０１４１】
（付記９）
更に、
前記第１の面及び前記第２の面が同時に接触している状態ではない場合に、転送すべき操作イベントを破棄する転送部
を有する付記１乃至８のいずれか１つ記載の携帯装置。
【０１４２】
（付記１０）
更に、
前記第１の面及び前記第２の面が同時に接触していると判定した場合に、音による通知を停止する通知部
を有する付記１乃至９のいずれか１つ記載の携帯装置。
【０１４３】
（付記１１）
筐体において対向する第１の面及び第２の面の各々に設けられた第１のタッチスイッチ及び第２のタッチスイッチを有する携帯装置に含まれるプロセッサに、
前記第１のタッチスイッチにより、前記第１の面が接触しているか否かを判定する処理と、
前記第２のタッチスイッチにより、前記第２の面が前記第１の面と同時に接触しているか否かを判定する処理と
を実行させるためのプログラム。
【０１４４】
（付記１２）
筐体において対向する第１の面及び第２の面の各々に設けられた第１のタッチスイッチ及び第２のタッチスイッチを有する携帯装置により実行される判定方法であって、
前記第１のタッチスイッチにより、前記第１の面が接触しているか否かを判定する処理と、
前記第２のタッチスイッチにより、前記第２の面が前記第１の面と同時に接触しているか否かを判定する処理と
を含む判定方法。
【符号の説明】
【０１４５】
１００  携帯電話端末    １０１ａ  タッチスイッチ
１０１ｂ  タッチスイッチ    １０１ｃ  タッチスイッチ
１０１ｄ  タッチスイッチ    １０３  近接センサ
１０５  表示面    １０７ａ  キー
１０７ｂ  キー    １０７ｃ  キー
６０１  プロセッサ    ６０３  記憶部
６０５  ＲＯＭ    ６０７  ＲＡＭ
６０９  フラッシュメモリ    ６１１  アンテナ
６１３  無線制御部    ６１５  オーディオ制御部
６１７  スピーカ    ６１９  マイク
６２１  ディスプレイ    ６２３  タッチパッド
６２５  キー群    ６２７  タッチスイッチ群
６２９  電池    ６３１  振動装置
７０１  イベント取得部    ７０３  第１判定部
７０５  ロック制御部    １６０１  電池制御部
１９０１  イベント転送部    １９０３  アプリケーション部
２１０１  通知部    ２３０１  第２判定部
２３０３  表示制御部
【図１】
2014154954.tif 000003
【図２】
2014154954.tif 000004
【図３】
2014154954.tif 000005
【図４】
2014154954.tif 000006
【図５】
2014154954.tif 000007
【図６】
2014154954.tif 000008
【図７】
2014154954.tif 000009
【図８】
2014154954.tif 000010
【図９】
2014154954.tif 000011
【図１０】
2014154954.tif 000012
【図１１】
2014154954.tif 000013
【図１２】
2014154954.tif 000014
【図１３】
2014154954.tif 000015
【図１４】
2014154954.tif 000016
【図１５】
2014154954.tif 000017
【図１６】
2014154954.tif 000018
【図１７】
2014154954.tif 000019
【図１８】
2014154954.tif 000020
【図１９】
2014154954.tif 000021
【図２０】
2014154954.tif 000022
【図２１】
2014154954.tif 000023
【図２２】
2014154954.tif 000024
【図２３】
2014154954.tif 000025
【図２４】
2014154954.tif 000026
【図２５】
2014154954.tif 000027